(57)【要約】  【課題】ミックスモードなど違うサイズの原稿をステープルモードでコピーする場合にも、エラーを起こさず記録済用紙を綴じることができる綴じ機構付記録装置を提供する。  【解決手段】プリントプログラムを開始すると、ステープル機能がオンになっているか否かを判別し（ステップ１０１）、ステープル機能がオンになっていない場合には、通常の記録・排紙処理を行う（ステップ１０２）。一方、ステープル機能がオンになっている場合には、次に記録すべき画像データのサイズの給紙カセットを選択した（ステップ１０３）後、選択した給紙カセットの用紙サイズがステープルトレイに蓄積されている用紙サイズと同じか否かを判別する（ステップ１０８）。用紙サイズが異なる場合には、ステープル動作を行い（ステップ１０９）、用紙束を排紙トレイに排出した（ステップ１１０）後、記録部による記録動作を開始する（ステップ１０６）。  【選択図】図４
2005104704.tif 000002
【特許請求の範囲】
【請求項１】
データを記録する記録部と、上記記録部により記録された記録紙を綴じるステープラ部と、上記各部を制御する制御部とを備え、ステープルモードで記録を行っているとき、上記制御部が、用紙の給紙時に用紙サイズを検出し、ステープル処理トレイの用紙と異なるサイズの用紙が給紙されるとき、上記制御部がステープル処理トレイの既存の記録済用紙をステープルすることを特徴とする綴じ機構付記録装置。
【発明の詳細な説明】
【技術分野】
【０００１】
本発明は、記録装置に関し、特にステープル機能を有する綴じ機構付記録装置に関する。
【背景技術】
【０００２】
従来のステープル機能を備えた記録装置では、記録シートのサイズに無関係にステープル処理トレイに収納された記録シートがステープラにより綴じられるため、綴じられた記録シートはサイズが不揃いな記録シート束となってしまう。
サイズが不揃いな記録シート束は外見上見栄えがよくなく、また、ステープルエラーを生じやすいため、自動ステープルモード時に記録シートのサイズが異なることを検知したときは、自動ステープルモードを解除し、ステープラの作動を行わないようにすることが提案されている（例えば、特許文献１参照）。
【特許文献１】特開平２−２３３４６８号公報
【発明の開示】
【発明が解決しようとする課題】
【０００３】
上記のように、従来のステープラ機能を有する綴じ機構付記録装置では、自動ステープルモード時に記録シートのサイズが異なることを検知したときは、エラーとなり、自動ステープルモードが解除されるため、ミックスモードなど違うサイズの原稿をステープルコピーする場合、記録済用紙を綴じることができないという問題がある。
【０００４】
本発明は、上記の問題に鑑みてなされたもので、ミックスモードなど違うサイズの原稿をステープルモードでコピーする場合にも、エラーを起こさず記録済用紙を綴じることができる綴じ機構付記録装置を提供することを目的とする。
【課題を解決するための手段】
【０００５】
上述の目的を達成するため、請求項１に係る発明の綴じ機構付記録装置は、データを記録する記録部と、上記記録部により記録された記録紙を綴じるステープラ部と、上記各部を制御する制御部とを備え、ステープルモードでコピーを行っているとき、上記制御部が、用紙の給紙時に用紙サイズを検出し、ステープル処理トレイの用紙と異なるサイズの用紙が給紙されるとき、上記制御部がステープル処理トレイの既存の用紙をステープルすることを特徴とする。
【発明の効果】
【０００６】
請求項１に係る発明の綴じ機構付記録装置によれば、ミックスモードなど違うサイズの原稿をステープルコピーする際には、違うサイズの用紙がステープラ装置に排出される前にステープラ装置が動作するので、エラーを起こすことなく継続して記録済用紙を綴じることができる。
【実施例】
【０００７】
以下、本発明の綴じ機構付記録装置を一例として、コピーモード、プリンタモード、ファックスモード等を有するデジタル複合機に適用した場合の実施例について、図面を用いて説明する。図１はデジタル複合機の制御系の構成を示す概略ブロック図であり、図に示すように、デジタル複合機はＣＰＵ１、ＲＯＭ（Read Only Memory）２、ＲＡＭ（Random Access Memory）３、表示・操作部４、読取部５、画像メモリ６、記録部７、コーデック８、モデム９、ネットワーク制御ユニットＮＣＵ１０、後処理部１１から構成され、各部がバス１２を介して接続されている。
【０００８】
ＣＰＵ１はバス１２を介してデジタル複合機のハードウェア各部を制御するとともに、ＲＯＭ２に記憶されたプログラムに基づいて各種のプログラムを実行する。ＲＯＭ２はデジタル複合機の動作に必要な種々のプログラムを予め記憶しており、ＲＡＭ３はＳＲＡＭ等で構成され、プログラムの実行時に発生する一時的なデータを記憶するとともに、ステープル処理時にステープル処理トレイに排出される用紙のサイズを記憶するステープル用紙サイズ記憶領域１３を備えている。
【０００９】
表示・操作部４は、デジタル複合機の動作状態を表示したり、種々の機能の操作画面の表示を行う表示部と、デジタル複合機を操作するための複数のキーよりなり、図２の拡大図に示すように、表示部を構成する大型ＬＣＤ表示部（大型表示画面）２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。また、操作キーとして、テンキー２２、スタートキー２３、リセットキー２４、ストップキー２５、複数のワンタッチダイヤルキー２６、十字キー２７、リターンキー２８、セットキー２９、ＦＡＸ切替キー３０、コピー切替キー３１、スキャナ切替キー３２等の各種キーが設けられている。なお、ＬＣＤ表示部２１によりこれらの操作キーの一部又は全部を代用することも可能である。
【００１０】
読取部５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力するものである。また、画像メモリ６は、ＤＲＡＭ等を用いて構成され、送信すべきイメージデータまたは受信したイメージデータあるいはコピーすべきイメージデータを記憶し、記録部７は電子写真方式等のプリンタ装置を備え、受信したデータあるいはコピー原稿のデータをハードコピーとしてプリントアウトする。
【００１１】
コーデック８は送信する画像情報を一定の符号化法によりデータ圧縮する一方、受信した画像データを復号して元の情報に復元するものである。モデム９はバス１２に接続されており、ファクシミリ通信が可能なファックスモデムとしての機能を有し、このモデム９は同様にバス１２に接続されたＮＣＵ１０と接続されている。ＮＣＵ１０はアナログ回線の閉結及び開放の動作を行うハードウェアであり、必要に応じてモデム９を電話回線に接続する。
【００１２】
また、後処理部１１は、記録部７で記録された用紙の後処理を行うものであり、図３に詳細を示すように、画像読取記録部の記録済用紙排出部に連結され、内部にステープラ部４１が内設されるとともに、外部に排紙トレイ４２が設けられている。
ステープラ部４１はステープルトレイ４３の下側に設けられ、このステープルトレイ４３には、用紙の整合を行うためのジョガーフェンス４４及び戻しローラ４５が設けられている。更に、ステープラ部４１により綴じられた用紙束を排出するための放出ベルト４６が、ジョガーフェンス４４の背後位置に設けられている。
【００１３】
一方、この後処理部１１の用紙搬送路入口４７側には入口ローラ４８と分岐爪４９が設けられ、この分岐爪４９により排紙トレイ４２方向へ行く用紙と、ステープラ部４１方向へ行く用紙とが仕分けされる。そして、ステープラ部４１方向の搬送路には下搬送ローラ５０及び紙送りローラ（ブラシローラ）５１が配置され、排紙トレイ４２方向の搬送路には上搬送ローラ５２及び排出ローラ５３が設けられている。
【００１４】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０から公衆電話回線を通して通信相手先に送信される。また、ファクシミリ受信時には、受信した画像データがモデム９で復調され、画像メモリ６に蓄積された後、コーデック８で復号されて記録部７により印刷される。
【００１５】
次に、このデジタル複合機において、ステープルモードでコピーを行うときの動作について、図４に示すフローチャートにより説明する。なお、この動作は、ＲＯＭ２に記憶されたプログラムに基づき、ＣＰＵ１の制御により実行される。
ユーザが読取部５のＡＤＦに原稿をセットした後、ＬＣＤ表示部２１のタッチパネルあるいはテンキー２２等の操作キーを使用して、コピー部数や倍率あるいはステープルモード等を設定した後、あるいはこれらの設定を省略してスタートキー２３を押すと、ＣＰＵ１１は読取部５による原稿の読取りを開始するとともに、図４のフローチャートに示すプリントプログラムを開始する。
【００１６】
まず、ＣＰＵ１はユーザによりステープルモードが設定され、ステープル機能がオンになっているか否かを判別する（ステップ１０１）。ステープル機能がオンになっていない場合には、記録部７による記録を開始し、通常の排紙処理を行う（ステップ１０２）。
この場合には、後処理部１１の用紙入口４７から搬入されてきた記録済用紙は、入口ローラ４８、上搬送ローラ５２及び排出ローラ５３により搬送され、排紙トレイ４２に排出される。
【００１７】
一方、ステップ１０１において、ステープル機能がオンになっていると判別された場合には、ＣＰＵ１は、次に記録部７で記録すべき原稿データの大きさから給紙カセットを選択する（ステップ１０３）。次に、ＣＰＵ１は前回のステープル動作後最初のページか否かを判別する（ステップ１０４）。そして、前回のステープル動作後始めてプリントを行う場合には、ステップ１０３で選択した給紙カセットの用紙サイズをＲＡＭ３のステープル用紙サイズ記憶領域１３に記憶した（ステップ１０５）後、ステップ１０６に移り、記録部７による記録動作を開始する。
【００１８】
この場合には、ステープル処理を行うので、用紙入口４７から搬入されてきた記録済用紙は、下搬送ローラ５０により搬送され、用紙がステープルトレイ４３の位置まで搬送されると、ジョガーフェンス４４が紙面に直角の方向に開き、その後、戻しローラ４５が振子運動を始め、排出されてきた用紙をたたいて用紙を下方に戻す。これにより、用紙が後端フェンスに突き当てられ、用紙の縦方向の整合が行われる。この後、一定時間後にジョガーフェンス４４が内側に移動し、用紙の横方向の整合が行われる。
そして、１ページ分のプリントが完了すると、ＣＰＵ１はプリントが完了したか否かを判別し（ステップ１０７）、プリントが完了していない場合には、ＣＰＵ１はステップ１０３に戻り、次に記録部７で記録すべき原稿データの大きさから給紙カセットを選択する。
【００１９】
一方、ステップ１０４において、前回のステープル後、最初のページではないと判別された場合には、ＣＰＵ１は、ステップ１０３で選択した給紙カセットの用紙サイズがＲＡＭ３のステープル用紙サイズ記憶領域１３に記憶されている用紙サイズと同じか否かを判別する（ステップ１０８）。用紙が同じサイズと判別された場合には、ステップ１０６に移り、上記と同様にして、記録部７により記録動作が行われ、記録済用紙がステープルトレイ４３の位置まで搬送される。
【００２０】
そして、ステップ１０８において、ステップ１０３で選択した給紙カセットの用紙サイズがＲＡＭ３のステープル用紙サイズ記憶領域１３に記憶されている用紙サイズと異なる場合には、ＣＰＵ１はステープル動作、すなわち、ステープラ部４１による綴じ処理を行う（ステップ１０９）。次に、ＣＰＵ１は、後処理部１１の放出ベルト４６を駆動し、放出ベルトの放出爪（図示せず）により用紙束を引っ掛けて持ち上げ、このとき同時に駆動されている排出ローラ５３が持ち上げられた用紙束を受け取り、排紙トレイ４２に綴じ処理された用紙束を排出する（ステップ１１０）。次に、現在ステップ１０３で選択されている給紙カセットの用紙サイズをＲＡＭ３のステープル用紙サイズ記憶領域１３に記憶した（ステップ１１１）後、ステップ１０６に移り、記録部７による記録動作を開始する。
【００２１】
一方、ステップ１０７において、プリント完了と判別されると、ＣＰＵ１は上記と同様にして、ステープル動作を行い（ステップ１１２）、綴じられた用紙束を排紙トレイ４２に排出した（ステップ１１３）後、プログラムを終了する。
上記のように、既にステープルトレイに蓄積されている用紙のサイズと同じサイズの用紙に記録が行われる場合には、順次プリントされた記録済用紙がステープルトレイに蓄積され、既にステープルトレイに蓄積されている用紙のサイズと異なるサイズの用紙に記録が行われる場合には、その記録の前に既にステープルトレイに蓄積されている用紙束のみの綴じ処理が行われ、綴じられた用紙束が排紙トレイに排出されるので、ステープル処理を中断することなく記録を継続することができる。
【００２２】
なお、上記の実施例では、本発明の綴じ機構付記録装置を複写機能、ファクシミリ機能、プリント機能、スキャナ機能等を有するデジタル複合機に適用した例を説明したが、本発明の画像処理装置は、通常のプリンタ装置やコピー機にも適用することができる。
また、上記の実施例では、ステープルモードでコピーを行う場合の例を説明したが、ステープルモードのプリント時にも本発明を適用することが可能である。
【図面の簡単な説明】
【００２３】
【図１】本発明の綴じ機構付記録装置を実施したデジタル複合機の概略ブロック図である。
【図２】デジタル複合機の操作パネルを示す図である。
【図３】ステープラ部を含む後処理装置の詳細を示す図である。
【図４】ステープルモードでコピーを行う場合の作用を示すフローチャートである。
【符号の説明】
【００２４】
１  ＣＰＵ
２  ＲＯＭ
３  ＲＡＭ
４  表示・操作部
５  読取部
６  画像メモリ
７  記録部
８  コーデック
９  モデム
１０  ＮＣＵ
１１  後処理部
１２  バス
１３  ステープル用紙サイズ記憶領域
２１  ＬＣＤ表示部
２２  テンキー
２３  スタートキー
４１  ステープラ部
【図１】
2005104704.tif 000003
【図２】
2005104704.tif 000004
【図３】
2005104704.tif 000005
【図４】
2005104704.tif 000006